(57)【要約】【課題】複数のフィルタ間で延焼することを防止し、空気清浄機内部での燃焼拡大を防止することのできる空気清浄機を提供する。【解決手段】空気清浄機は、送風機２により吸込口１５，１５…から空気を吸い込んで吹出口１６から吹き出させ、脱臭フィルタ１７及び集塵フィルタ１８により空気を順次濾過して浄化する。通気性を有する不燃性の防火ネット１９を脱臭フィルタ１７における集塵フィルタ１８に対向する面に配置し、脱臭フィルタ１７から集塵フィルタ１８へ延焼することを防止する。【選択図】図２
2013006166.tif 000002
【特許請求の範囲】
【請求項１】
吸込口から空気を吸い込んで吹出口から吹き出させる送風機と、前記吸込口から吸い込んだ空気を順次濾過して浄化する２つの浄化フィルタとを備えた空気清浄機において、
前記２つの浄化フィルタのうち前記吸込口側にある一方の浄化フィルタにおける他方の浄化フィルタに対向する面に、通気性を有する不燃性のカバーを備えたことを特徴とする空気清浄機。
【請求項２】
加熱により溶断して前記送風機への通電を遮断する温度ヒューズを前記カバーに配してあることを特徴とする請求項１に記載の空気清浄機。
【請求項３】
前記カバーの温度を検出する温度センサを備え、
該温度センサにより検出した温度が所定の閾値を超えたときに、前記送風機への通電を停止するようになしてあることを特徴とする請求項１に記載の空気清浄機。
【請求項４】
前記２つの浄化フィルタ及び前記カバーを積層して枠体に収容してあることを特徴とする請求項１から請求項３のいずれか１つに記載の空気清浄機。
【請求項５】
前記カバーは、金属製の網を蛇腹状になしてあることを特徴とする請求項１から請求項４のいずれか１つに記載の空気清浄機。
【請求項６】
前記一方の浄化フィルタは、脱臭フィルタであることを特徴とする請求項１から請求項５のいずれか１つに記載の空気清浄機。
【発明の詳細な説明】
【技術分野】
【０００１】
本発明は、吸い込んだ空気に含まれる臭いを除去し、塵埃を捕集して浄化した空気を吹き出させる空気清浄機に関する。
【背景技術】
【０００２】
室内の空気には、塵埃、花粉、タバコの煙、呼気等のように、人体に不快又は有毒とされる様々な物質が含まれている。特に近年では、住宅が高気密化されていることから、有害物質が室内に溜まり易い。そのため、大気汚染がひどい地域や、花粉症の患者がいる家庭や職場等では部屋の窓を開ける自然換気が行いにくいので、室内の空気を浄化する空気清浄機能を有する空気清浄機が広く普及してきている。
【０００３】
空気清浄機により室内の空気を清浄化する方法としては、室内の空気を吸引してフィルタで塵埃を捕集し、活性炭で汚染物質を吸着するといったものが一般的である。室内の空気に含まれる塵埃を捕集し、臭気を除去して脱臭するための基本構造は、送風機を配置した送風経路を本体内に設け、送風経路の入口及び出口夫々に空気の吸込口及び吹出口を設け、送風経路内に集塵フィルタ及び脱臭フィルタを配置するものであり、送風機により送風経路内に室内の空気を通流し清浄化する。
【０００４】
特許文献１には、安価で、しかもメンテナンス時のサービス性が良く、かつ防火性も高い空気清浄機の集塵・脱臭ユニットを提供するために、集塵フィルタ、及びガス状物質を吸着する脱臭フィルタを一体型のユニットとし、空気清浄機に着脱自在とした集塵・脱臭ユニットが開示されている。該集塵・脱臭ユニットは、燃焼防止用防護ネットを張設した枠体に脱臭フィルタを保持し、該枠体を集塵フィルタに着脱自在に装着するものとしている。
【先行技術文献】
【特許文献】
【０００５】
【特許文献１】特開２００２−２０４９１５号公報
【発明の概要】
【発明が解決しようとする課題】
【０００６】
しかしながら、特許文献１に開示された空気清浄機の集塵・脱臭ユニットでは、脱臭フィルタの前に燃焼防止用防護ネットがあることで、外部からの火種の侵入を防ぐことができる。しかしながら、ひとたび脱臭フィルタに火種が移り脱臭フィルタが燃えてしまった場合に、集塵フィルタにも延焼すると、燃焼が拡大してしまう。
【０００７】
本発明は斯かる事情に鑑みてなされたものであり、その目的とするところは、複数のフィルタ間で延焼することを防止し、空気清浄機内部での燃焼拡大を防止することのできる空気清浄機を提供することを目的とする。
【課題を解決するための手段】
【０００８】
本発明に係る空気清浄機は、吸込口から空気を吸い込んで吹出口から吹き出させる送風機と、前記吸込口から吸い込んだ空気を順次濾過して浄化する２つの浄化フィルタとを備えた空気清浄機において、前記２つの浄化フィルタのうち前記吸込口側にある一方の浄化フィルタにおける他方の浄化フィルタに対向する面に、通気性を有する不燃性のカバーを備えたことを特徴とする。
【０００９】
本発明にあっては、２つの浄化フィルタのうち吸込口側にある一方の浄化フィルタにおける他方の浄化フィルタに対向する面に、通気性を有する不燃性のカバーを備えるため、該カバーによって、一方の浄化フィルタから他方の浄化フィルタへ延焼することを防止する。
【００１０】
本発明に係る空気清浄機は、加熱により溶断して前記送風機への通電を遮断する温度ヒューズを前記カバーに配してあることを特徴とする。
【００１１】
本発明にあっては、カバーに配した温度ヒューズが加熱により溶断して送風機への通電を遮断するため、延焼することを防止する。
【００１２】
本発明に係る空気清浄機は、前記カバーの温度を検出する温度センサを備え、該温度センサにより検出した温度が所定の閾値を超えたときに、前記送風機への通電を停止するようになしてあることを特徴とする。
【００１３】
本発明にあっては、温度センサにより検出したカバーの温度が所定の閾値を超えたときに、送風機への通電を停止するため、延焼することを防止する。
【００１４】
本発明に係る空気清浄機は、前記２つの浄化フィルタ及び前記カバーを積層して枠体に収容してあることを特徴とする。
【００１５】
本発明にあっては、２つの浄化フィルタ及びカバーを積層して枠体に収容してあるため、２つの浄化フィルタ及びカバーが枠体ごと纏めて交換され、カバーの未装着を防止する。
【００１６】
本発明に係る空気清浄機は、前記カバーが、金属製の網を蛇腹状になしてあることを特徴とする。
【００１７】
本発明にあっては、カバーが金属製の網を蛇腹状になしてあるため、カバーに厚みを有して浄化フィルタ間に空間が確保され、延焼することを防止する。
【００１８】
本発明に係る空気清浄機は、前記一方の浄化フィルタが、脱臭フィルタであることを特徴とする。
【００１９】
本発明にあっては、一方の浄化フィルタが脱臭フィルタであるため、空気の臭いを除去することができる。
【発明の効果】
【００２０】
本発明によれば、２つの浄化フィルタのうち吸込口側にある一方の浄化フィルタにおける他方の浄化フィルタに対向する面に、通気性を有する不燃性のカバーを備えるので、該カバーによって、空気を通流し、一方の浄化フィルタから他方の浄化フィルタへ延焼することを防止することができる。
【図面の簡単な説明】
【００２１】
【図１】本発明に係る空気清浄機の構成を示す背面側の分解斜視図である。
【図２】図１の空気清浄機の縦断側面図である。
【図３】実施の形態１に係る空気清浄機の防火ネットの背面図である。
【図４】実施の形態２に係る空気清浄機の防火ネットの背面図である。
【図５】図４中のＡ−Ａ線による断面図である。
【図６】温度ヒューズの構成を説明するための模式図である。
【図７】温度センサを配置した防火ネットの背面図である。
【図８】実施の形態３に係る空気清浄機のフィルタユニットの縦断側面図である。
【発明を実施するための形態】
【００２２】
以下、本発明に係る空気清浄機の実施の形態を図面に基づいて説明する。
【００２３】
（実施の形態１）
図１は本発明に係る空気清浄機の構成を示す背面側の分解斜視図、図２は図１の空気清浄機の縦断側面図、図３は実施の形態１に係る空気清浄機の防火ネットの背面図である。
【００２４】
本発明に係る空気清浄機は、矩形箱形のハウジング１の内部に、送風機２、加湿フィルタユニット３、水受け皿４、回転駆動機構５及びイオン発生器６などを備えている。ハウジング１の内部は、隔壁１１により後（背）側の吸込室１２と前側の吹出室１３とに分割されている。吸込室１２は、ハウジング１の後面パネル１４に開設された多数の吸込口１５，１５…を介して外部に連通し、また吹出室１３は、ハウジング１の天板に開設された吹出口１６を介して外部に連通しており、更に吸込室１２と吹出室１３とは、隔壁１１の下部に設けた開口１１ａを経て相互に連通している。
【００２５】
後面パネル１４は、吸込室１２の後側に設けたフィルタ収容室１２ａに着脱可能であり、フィルタ収容室１２ａには、脱臭フィルタ１７及び集塵フィルタ１８が、防火ネット１９を挟んで積層配置してある。脱臭フィルタ１７は、例えば、不織布に活性炭を分散保持させた構成であり、通気中の臭い成分を吸着、除去する作用をなす。集塵フィルタ１８は、例えば、公知のＨＥＰＡ（High Efficiency Particulate Air ）フィルタであり、通気中に含まれる微細な塵埃を捕集、除去する作用をなす。脱臭フィルタ１７及び集塵フィルタ１８は、合成樹脂製の矩形の各枠体１７ａ，１８ａに一体に収納されている。
【００２６】
防火ネット１９は、脱臭フィルタ１７及び集塵フィルタ１８の間に挟み込まれるように配置されている。防火ネット１９は、通気性を有する不燃性のネットであり、例えば、金属製の格子網などを用い、後面パネル１４側にある脱臭フィルタ１７における集塵フィルタ１８に対向する面を覆うように設けられる。防火ネット１９は、合成樹脂製の矩形の枠体１９ａに一体に収納されている。
【００２７】
送風機２は、羽根車２０と、羽根車２０を回転駆動するファンモータ２１とを備えている。ファンモータ２１は、吹出室１３の壁の外部に固定されている。羽根車２０は、吹出室１３内に突出するファンモータ２１の出力軸に固定され、隔壁１１下部の開口１１ａに対向配置してある。羽根車２０が回転した場合、図２中に白抜の矢印にて示すように、後面パネル１４の吸込口１５，１５…を経て吸込室１２の内部に外気が導入され、吸込室１２の内部を前方向に流れて隔壁１１下部の開口１１ａを経て羽根車２０に吸い込まれる。羽根車２０に吸い込まれた空気は上向きに方向を変えて吹出室１３の内部に導出され、吹出室１３の末端の吹出口１６を経て外部に送り出される。
【００２８】
このようにハウジング１の内部の吸込室１２及び吹出室１３は、送風機２の動作に応じて前述した空気の流れが生じる送風路を構成する。脱臭フィルタ１７及び集塵フィルタ１８は、以上の如き送風路の上流側に位置している。また、加湿フィルタユニット３及び水受け皿４が、集塵フィルタ１８と送風機２との間の送風路に配置してある。
【００２９】
水受け皿４は、ハウジング１の底板上に載置され、集塵フィルタ１８の前側の吸込室１２の内部に配してある。水受け皿４は、上部に後述のように加湿フィルタユニット３を支持し、加湿フィルタユニット３と共にハウジング１の一側面から外部に引き出すことが可能である。水受け皿４の引き出し側の端部には、広幅のタンク受け４０が連設してあり、タンク受け４０の上部には、給水タンク４１が着脱されるように設けてある。
【００３０】
給水タンク４１は、一側の端部に給水栓４２を有する直方体のタンクであり、給水栓４２の側を下向きとした倒立姿勢にてタンク受け４０に装着される。給水栓４２は、公知の定水位弁を内蔵している。この定水位弁は、タンク受け４０への給水タンク４１の装着時に、タンク受け４０の該当位置に立設した突起（不図示）に押し上げられて開放状態となり、給水タンク４１内に収容している水を水受け皿４に送り出し、水受け皿４の内部に一定水位の水を貯留させるように作用する。
【００３１】
加湿フィルタユニット３は、中空の円盤形をなす保持枠３０の内部に加湿フィルタ３１を収納保持して構成されている。加湿フィルタ３１は、不織布等、高い含水性を有すると共に通気が可能な材料製のシートであり、通気する空気との接触面積を増すべく、蛇腹状に折り重ねて保持枠３０に収納されている。
【００３２】
保持枠３０の中心に固定された回転軸３２が水受け皿４の上部に設けたフィルタ保持部４３のＵ字溝４３ａに回転自在に嵌合している。回転軸３２を中心軸として、加湿フィルタ３１及び保持枠３０が回転自在に支持されている。
【００３３】
回転駆動機構５は、保持枠３０の外周面に接触して加湿フィルタユニット３を回転させるローラ５１及び該ローラ５１に連動連結されている電動モータ５２を備える。ローラ５１は、加湿フィルタユニット３の最上部位置に対応する位置に、ローラ５１の外周面が保持枠３０の外周面に接触するように配され、また、回転軸３２とローラ５１の回転中心軸とは互いに平行に配されている。電動モータ５２が作動することによってローラ５１が回転し、加湿フィルタユニット３が周方向へ回転させるように作用する。
【００３４】
イオン発生器６は、吹出室１３の壁に固定され、発生するイオンの放射口が吹出室１３へ開口するように配してある。イオン発生器６は、針状の放電電極及び該放電電極を囲繞する誘導電極を有し、高電圧を印加された放電電極がコロナ放電を起こしてイオンを発生させる。イオン発生器６で発生したイオンは、吹出室１３へ放射され、吹出室１３内の空気と混和され、吹出口１６から空気とともに外部に送り出される。
【００３５】
空気清浄機の運転中は、送風機２が駆動され、吸込口１５，１５…を経て吸込室１２に空気が吸入される。吸入された空気は、先ず脱臭フィルタ１７の通過により臭い成分を除去され、通気性を有する防火ネット１９を通過し、集塵フィルタ１８の通過により塵埃を除去された清浄な空気となる。次に脱臭フィルタ１７及び集塵フィルタ１８を通過した空気は加湿フィルタユニット３の加湿フィルタ３１を通過する。
【００３６】
電動モータ５２が作動することによって、加湿フィルタユニット３が回転し、水受け皿４に浸漬した加湿フィルタ３１の部分が順次周方向に移動して水を吸い上げ、加湿フィルタ３１の全体が水分を含んだ状態になる。その結果、集塵フィルタ１８を通過した後の空気が加湿フィルタ３１を通過して加湿される。従って、図示の空気清浄機は、加湿フィルタ３１の配置により加湿機としても機能する。
【００３７】
加湿フィルタ３１を通過した湿り空気は吹出室１３へ流れ込み、イオン発生器６から放射されるイオンと混和され、イオンとともに吹出室１３の末端の吹出口１６を経て外部に送り出される。
【００３８】
吸込口１５，１５…から火種が入り込み、脱臭フィルタ１７に燃え移った場合、不燃性の防火ネット１９によって、燃焼を脱臭フィルタ１７に留めることができる。これにより、脱臭フィルタ１７から集塵フィルタ１８へ延焼することを防止する。また、防火ネット１９における枠体１９ａの厚み（脱臭フィルタ１７及び集塵フィルタ１８の積層方向の厚み）により、脱臭フィルタ１７と集塵フィルタ１８とが距離を隔てて配置させるので、脱臭フィルタ１７から集塵フィルタ１８へ延焼することを防止する。
【００３９】
（実施の形態２）
図４は実施の形態２に係る空気清浄機の防火ネットの背面図、図５は図４中のＡ−Ａ線による断面図、図６は温度ヒューズの構成を説明するための模式図である。実施の形態２の空気清浄機では、防火ネット１９を蛇腹状に形成し、防火ネット１９に温度ヒューズユニット７を配置してある点が実施の形態１と異なるが、他の構成は実施の形態１と同一である。以下、防火ネット１９と温度ヒューズユニット７の詳細について説明する。
【００４０】
本実施形態の防火ネット１９は、図５の断面図に示すように、蛇腹状に折り込まれて形成されており、合成樹脂製の矩形の枠体１９ａに一体に収納されている。防火ネット１９は、通気性を有する不燃性のネットであり、例えば金属製の格子網などを用いる。防火ネット１９の中央付近には、温度ヒューズユニット７が配置されている。温度ヒューズユニット７を配置する位置において防火ネット１９に切り目が入れてあり、温度ヒューズユニット７が上下２箇所で防火ネット１９に挟み込まれるようにして固定されている。
【００４１】
温度ヒューズユニット７は、温度ヒューズ７０の２つの端子にスリーブ７１，７１によって、２本の電線７２，７２を接続し、該電線７２，７２をコネクタ７３に接続して構成されている。温度ヒューズ７０及びスリーブ７１，７１は絶縁チューブ７４により包まれて絶縁されている。
【００４２】
防火ネット１９は、上述のように蛇腹状に形成してあるため、防火ネット１９自体が厚みを持っている。このため、脱臭フィルタ１７と集塵フィルタ１８との間には防火ネット１９の厚み分の空間ができる。この空間によって、脱臭フィルタ１７から集塵フィルタ１８への延焼を抑えることができる。
【００４３】
また、脱臭フィルタ１７に火種が燃え移った場合には、脱臭フィルタ１７の温度が上昇するため、脱臭フィルタ１７に隣接している防火ネット１９及び温度ヒューズユニット７の温度も上昇する。例えば、温度ヒューズ７０は１０９℃で溶断するものとし、コネクタ７３に接続された２本の電線７２，７２間の導通を遮断する。
【００４４】
送風機２の駆動によって吸込口１５，１５…から吸い込まれる空気が温度ヒューズユニット７に当たり、また、熱伝導率の高い金属性の防火ネット１９が温度ヒューズユニット７に接しているため、通常運転状態では、温度ヒューズ７０の温度は室温付近に保たれ、ほとんど上昇することはない。一方、吸込口１５，１５…から火種が入り込み、脱臭フィルタ１７に燃え移った場合、脱臭フィルタ１７周辺の温度が急激に上昇するため、温度ヒューズ７０の温度も急激に上昇して数百℃に達する。したがって、本実施形態に用いる温度ヒューズ７０は、１０９℃のものに限らず他の温度で溶断するものでよく、例えば、５０〜２００℃程度で溶断するものであってもよい。
【００４５】
コネクタ７３は、送風機２を駆動する制御回路７５に接続されており、温度ヒューズ７０の溶断によって、電線７２，７２が接続されるコネクタ７３端子間の導通が切断されると、制御回路７５から送風機２への通電が遮断され、送風機２の運転が強制的に停止する。
【００４６】
送風機２の運転が停止すると、脱臭フィルタ１７を介して空気清浄機内に向かう気流がなくなるため、脱臭フィルタ１７の炎により、集塵フィルタ１８、さらに送風機２側へと延焼していくことを抑制できる。また、送風機２の運転が停止することにより、吸込口１５，１５…からの酸素を含んだ新鮮な空気の供給が減少するため、脱臭フィルタ１７に燃え移った炎がさらに拡大することを抑制できる。
【００４７】
図７は温度センサを配置した防火ネットの背面図である。図７に示すように、温度ヒューズユニット７を防火ネット１９に取り付ける代わりに、温度センサ８を防火ネット１９に取り付けるようにしてもよい。温度ヒューズユニット７の場合と同様に、温度センサ８を防火ネット１９の中央付近に取り付け、温度センサ８によって防火ネット１９付近の温度を計測する。通常運転時には、送風機２の駆動によって吸い込んだ外部の空気の温度が、温度センサ８により計測される。
【００４８】
脱臭フィルタ１７に火種が侵入して、脱臭フィルタ１７に炎が燃え移った場合には、炎の熱により温度センサ８周辺の雰囲気温度は急上昇する。温度センサ８により計測された温度が所定の閾値（例えば、５０℃）を超えたとき、制御回路７５は、脱臭フィルタ１７に炎が燃え移ったと判定して送風機２への通電を停止し、送風機２の運転が停止する。
【００４９】
温度ヒューズユニット７による場合と同様に、送風機２の運転が停止することによって、脱臭フィルタ１７を介して空気清浄機内に向かう気流がなくなるため、脱臭フィルタ１７の炎により、集塵フィルタ１８、さらに送風機２側へと延焼していくことを抑制できる。また、送風機２の運転が停止することにより、吸込口１５，１５…からの酸素を含んだ新鮮な空気の供給が減少するため、脱臭フィルタ１７に燃え移った炎がさらに拡大することを抑制できる。
【００５０】
（実施の形態３）
図８は実施の形態３に係る空気清浄機のフィルタユニットの縦断側面図である。実施の形態３の空気清浄機では、脱臭フィルタ１７、集塵フィルタ１８及び防火ネット１９を枠体９１内に収容してフィルタユニット９を形成してある点が、実施の形態１と異なるが、他の構成は実施の形態１と同一とすることができる。以下、フィルタユニット９の詳細について説明する。
【００５１】
フィルタユニット９は、矩形の枠体９１に脱臭フィルタ１７、防火ネット１９及び集塵フィルタ１８を積層して収容したものである。枠体９１には、脱臭フィルタ１７及び集塵フィルタ１８へ通気させるために、前側及び後側の面夫々に、矩形の開口部９１ａ、９１ｂを有している。フィルタユニット９は、フィルタ収容室１２ａに嵌め込まれ、フィルタ収容室１２ａに後面パネル１４を装着することにより、空気清浄機に取り付けられる。
【００５２】
脱臭フィルタ１７及び集塵フィルタ１８は、臭い及び塵埃が多く付着した場合や、耐用年数（例えば２年）を経過した場合に交換をする必要がある。本実施形態では、フィルタ交換時には、脱臭フィルタ１７、防火ネット１９及び集塵フィルタ１８が収容されたフィルタユニット９ごと交換すればよいので、防火ネット１９の付け忘れがなく、未装着を防止することができ、また、簡単に交換することができ、ユーザによる利便性が高い。更に、フィルタユニット９の前側と後側とを取り違えて、前後逆さに取り付けてしまった場合でも、脱臭フィルタ１７及び集塵フィルタ１８の位置が入れ替わるものの、吸込口１５，１５…に隣接する集塵フィルタ１８に火種が侵入して炎が燃え移ったとしても、防火ネット１９があることによって、脱臭フィルタ１７へ延焼することを防止できる。
【００５３】
なお、本実施形態においても、実施の形態２と同様に、防火ネット１９を蛇腹状に形成してもよく、更に、防火ネット１９に温度ヒューズユニット７又は温度センサ８を配置し、温度の上昇によって送風機２への通電を遮断又は停止するようにしてもよい。
【００５４】
なお、本発明は、本実施の形態だけに限ることなく、特許請求の範囲に記載された発明の技術的範囲及びそれと均等な範囲に及ぶものとする。
【符号の説明】
【００５５】
１５  吸込口
１６  吹出口
１７  脱臭フィルタ（浄化フィルタ）
１８  集塵フィルタ（浄化フィルタ）
１９  防火ネット（カバー）
２  送風機
７  温度ヒューズユニット
７０  温度ヒューズ
８  温度センサ
９  フィルタユニット
９１  枠体
【図１】
2013006166.tif 000003
【図２】
2013006166.tif 000004
【図３】
2013006166.tif 000005
【図４】
2013006166.tif 000006
【図５】
2013006166.tif 000007
【図６】
2013006166.tif 000008
【図７】
2013006166.tif 000009
【図８】
2013006166.tif 000010